(57)【要約】【課題】粒ガムを衛生的に保つとともに捨て紙が取り出しやすい粒ガム用容器を提供することにある。【解決手段】合成樹脂材料からなる容器本体１１と、この容器本体１１の開口部１２を開閉自在に閉塞する蓋体１３とからなり、容器本体１１の内部に多数個の粒ガム１５を収容可能な粒ガム用容器１０において、容器本体１１の胴部１１ａを形成する外周壁の一部に凹陥部１４を設け、この凹陥部１４に複数枚の捨て紙１６を重ねた状態で収納し、容器本体１１の胴部１１ａは、ストレッチフィルム１７で包装され、このストレッチフィルム１７を容器本体１１に対してずらすことにより凹陥部１４に収納された捨て紙１６が取り出し可能に露出することを特徴とする。【選択図】図１
2008213857.tif 000002
【特許請求の範囲】
【請求項１】
合成樹脂材料からなる容器本体と、この容器本体の開口部を開閉自在に閉塞する蓋体とからなり、前記容器本体の内部に多数個の粒ガムを収容可能な粒ガム用容器において、
前記容器本体の胴部を形成する外周壁の一部に凹陥部を設け、この凹陥部に複数枚の捨て紙を重ねた状態で収納したことを特徴とする粒ガム用容器。
【請求項２】
前記容器本体の胴部は、ストレッチフィルムで包装され、このストレッチフィルムを前記容器本体に対してずらすことにより前記凹陥部に収納された捨て紙が取り出し可能に露出することを特徴とする請求項１記載の粒ガム用容器。
【請求項３】
前記ストレッチフィルムには、前記捨て紙の取り出し要領が表記されていることを特徴とする請求項２記載の粒ガム用容器。
【発明の詳細な説明】
【技術分野】
【０００１】
本発明は、例えば、粒ガムを食した後、包装して廃棄できるように捨て紙を備えた粒ガム用容器に関する。
【背景技術】
【０００２】
多数の粒ガムを容器に収容し、容器ごと市販される粒ガム用容器は、ポリエチレン等の合成樹脂材料によって成形された容器本体と、この容器本体の開口部を開閉自在に閉塞する蓋体によって構成されている。容器本体は、円筒形状、角筒形状であり、その胴部はシュリンクフィルムやストレッチフィルムで包装され、このフィルムに商品名や成分及び製造元、販売元等が印刷されている。
【０００３】
粒ガムは、一個ずつ包装されずに、未包装のまま容器に収容されている。従って、粒ガムを食した後に廃棄する際には、包装して廃棄できるように、容器に捨て紙が添付されている。捨て紙は、複数枚の捨て紙の一辺を綴じ、ミシン目から１枚ずつ切り離せるもの、ポスト・イット（登録商標）と呼ばれている特殊粘着剤付き紙で、１枚ずつ切り剥がせるものがある。
【０００４】
また、捨て紙を粒ガムと一緒に容器の内部に収納したものや、あるいは捨て紙綴りを容器の外側壁に添付したものが知られている（例えば、特許文献１参照。）。さらに、容器本体の蓋体に、捨て紙を格納する捨て紙収納室を設けたものが知られている（例えば、特許文献２参照。）。
【特許文献１】実開平６−６７３１４号公報
【特許文献２】特開２００５−３０６４５２号公報
【発明の開示】
【発明が解決しようとする課題】
【０００５】
ところで、捨て紙を粒ガムと一緒に容器の内部に収納したものは、捨て紙を容器から取り出し難いとともに、粒ガムと捨て紙が容器の内部で干渉し、紙粉が発生して紙粉が粒ガムに付着して不衛生である。特許文献１のものは、捨て紙綴りを容器の外側壁に添付しただけであるため、捨て紙が常に露出した状態にあり、不衛生であるとともに、容器との一体感がなく、見栄えも悪い。さらに、特許文献２のものは、蓋体に捨て紙を格納する捨て紙収納室を設けたものであり、蓋体が構造的に複雑でコストアップするとともに容器が大型化するという欠点がある。
【０００６】
本発明は、前記事情に着目してなされたもので、その目的とするところは、粒ガムを衛生的に保つとともに捨て紙が取り出しやすい粒ガム用容器を提供することにある。
【課題を解決するための手段】
【０００７】
本発明は、前記目的を達成するために、請求項１は、合成樹脂材料からなる容器本体と、この容器本体の開口部を開閉自在に閉塞する蓋体とからなり、前記容器本体の内部に多数個の粒ガムを収容可能な粒ガム用容器において、前記容器本体の胴部を形成する外周壁の一部に凹陥部を設け、この凹陥部に複数枚の捨て紙を重ねた状態で収納したことを特徴とする。
【０００８】
請求項２は、請求項１の前記容器本体の胴部は、ストレッチフィルムで包装され、このストレッチフィルムを前記容器本体に対してずらすことにより前記凹陥部に収納された捨て紙が取り出し可能に露出することを特徴とする。
【０００９】
請求項３は、請求項２の前記ストレッチフィルムには、前記捨て紙の取り出し要領が表記されていることを特徴とする。
【発明の効果】
【００１０】
本発明によれば、次のような効果がある。
【００１１】
（ａ）捨て紙が容器本体の外側壁に設けた凹陥部に収納されているため、捨て紙が取り出しやすく、しかも、粒ガムと捨て紙とは分離しているため、衛生的である。
【００１２】
（ｂ）捨て紙が容器本体の外側壁に設けた凹陥部に収納されているため、容器が大型化・複雑化することはなく、コストダウンを図ることができる。
【００１３】
（ｃ）捨て紙がストレッチフィルムで覆われているため、他の部材と干渉しても脱落することはなく、汚れを防止できる。
【発明を実施するための最良の形態】
【００１４】
以下、本発明の実施の形態を図面に基づいて説明する。
【００１５】
図１は粒ガム用容器の分解斜視図、図２は凹陥部の横断面図、図３は凹陥部の縦断面図である。粒ガム用容器１０は、容器本体１１と、容器本体１１の開口部１２を開閉自在に閉塞する蓋体１３とから構成されている。容器本体１１と蓋体１３は、例えばポリエチレン、ポリプロピレン等の合成樹脂材料によって成形されており、容器本体１１は円筒状で、蓋体１３は容器本体１１に対して弾性的に嵌着されるようになっている。
【００１６】
容器本体１１の胴部１１ａの外側壁に一部、つまり上縁部側には矩形状の凹陥部１４が設けられている。この凹陥部１４は容器本体１１の成形と同時に一体に形成され、凹陥部１４の外面に対向する底面１４ａは平坦面に形成されている。さらに、凹陥部１４の下部１４ｂ及び左右両側部１４ｃは囲い壁に形成され、上部１４ｄは開口している。
【００１７】
凹陥部１４には粒ガム１５を食した後、廃棄する際に包装する捨て紙１６が収納されている。捨て紙１６は凹陥部１４の内部に密に収納されるように凹陥部１４より若干小さいサイズの矩形状で、複数枚を重ね合わせた状態であり、例えば、ポスト・イット（登録商標）と呼ばれている特殊粘着剤付き紙で、１枚ずつ切り剥がせるものが望ましい。従って、捨て紙１６の最も裏面側の１枚は凹陥部１４の底面１４ａに接着されている。なお、捨て紙１６は、複数枚の紙葉の一辺を綴じ、ミシン目から１枚ずつ切り離せるものでもよい。
【００１８】
また、容器本体１１の胴部１１ａは、筒状のストレッチフィルム１７で包装され、このストレッチフィルム１７によって凹陥部１４に収納された捨て紙１６の一部または全体が覆われている。ストレッチフィルム１７は伸縮性を有するため、容器本体１１に対して軸方向及び周方向にずらすことができる。通常は、ストレッチフィルム１７により凹陥部１４に収納された捨て紙１６の一部または全体が覆われているが、ストレッチフィルム１７を容器本体１の下方にずらすことにより凹陥部１４に収納された捨て紙１６が取り出し可能に露出する。従って、捨て紙１６はストレッチフィルム１７で覆われているため、他の部材と干渉しても捨て紙１６が脱落することはなく、汚れを防止できる。さらに、ストレッチフィルム１７には、粒ガム１５の商品名、成分、製造元、販売元等が印刷されているとともに、捨て紙１６を１枚ずつ剥がす方法の要領が表記されている。
【００１９】
このように構成された粒ガム用容器１０によれば、容器本体１１の蓋体１３を開けて内部に収容された粒ガム１５を手指で摘まんで取り出して食することができる。粒ガム１５を食した後、廃棄する際には、ストレッチフィルム１７を容器本体１の下方にずらすことにより凹陥部１４に収納された捨て紙１６が取り出し可能に露出する。そこで、捨て紙１６の１枚を剥がし、これを包み紙として食したガムを包装してゴミ箱等に廃棄することができる。捨て紙１６を取り出した後は、ストレッチフィルム１７を容器本体１の上方にずらすことにより凹陥部１４に収納された捨て紙１６をストレッチフィルム１７で覆うことができ、捨て紙１６が他の部材と干渉して捨て紙１６が脱落することはなく、汚れも防止できる。
【００２０】
なお、前記実施形態においては、容器本体１１の胴部１１ａが円筒状の場合について説明したが、四角形、八角形等の角筒状でもよく、また凹陥部１４の位置も容器本体１１の形状によって任意に変更可能である。
【００２１】
なお、本発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組み合わせてもよい。
【図面の簡単な説明】
【００２２】
【図１】本発明の第１の実施形態を示し、粒ガム用容器の分解斜視図。
【図２】同実施形態を示し、凹陥部の横断面図。
【図３】同実施形態を示し、凹陥部の縦断面図。
【符号の説明】
【００２３】
１０…粒ガム用容器、１１…容器本体、１１ａ…胴部、１２…開口部、１３…蓋体、１４…凹陥部、１５…粒ガム、１６…捨て紙、１７…ストレッチフィルム
【図１】
2008213857.tif 000003
【図２】
2008213857.tif 000004
【図３】
2008213857.tif 000005